(57)【要約】【課題】  振り分け先のフォルダが複数あっても新規に受信した電子メールのみを１つの画面に一覧表示することができる携帯端末を提供する。【解決手段】  制御手段５が電子メールを各フォルダに格納した後、未読の電子メールおよび既読の電子メールのいずれか一方若しくは両方を表示手段２に一覧表示させるので、振り分け先のフォルダが複数あっても新規に受信した電子メールのみを１つの画面に一覧表示することができる携帯端末の提供を実現することができる。【選択図】  図１
2005149372.tif 000002
【特許請求の範囲】
【請求項１】
受信した電子メールを格納する複数のフォルダと、画像および文字を表示する表示手段と、前記各フォルダに格納された電子メールを前記表示手段に表示させる制御手段とを備えた携帯端末において、
前記制御手段は、電子メールを前記各フォルダに格納した後、未読の電子メールおよび既読の電子メールのいずれか一方若しくは両方を前記表示手段に一覧表示させることを特徴とする携帯端末。
【請求項２】
前記制御手段は、電子メールを受信すると、自動振り分け対象である場合には振り分け先のフォルダに電子メールを格納し、自動振り分け対象でない場合にはデフォルトの受信メールフォルダに電子メールを格納することを特徴とする請求項１記載の携帯端末。
【請求項３】
前記制御手段は、一旦画像表示手段に内容を表示した電子メールについての情報を未読から既読に変更することを特徴とする請求項１または２記載の携帯端末。
【請求項４】
前記制御手段は、振り分け先のフォルダ名を前記表示手段に表示させることを特徴とする請求項１から３のいずれか１項記載の携帯端末。
【請求項５】
前記制御手段は、振り分け先のフォルダをキーにしてソートを行い、ソート後の結果を一覧表示させることを特徴とする請求項１から４のいずれか１項記載の携帯端末。
【請求項６】
前記制御手段は、新着メールが有る場合に、前記表示手段に新着メールがあることを示すアイコンを表示することを特徴とする請求項１から５のいずれか１項記載の携帯端末。
【発明の詳細な説明】
【技術分野】
【０００１】
本発明は、携帯電話機、PDA(Personal Digital Assistants：携帯情報端末)、およびビデオ電話機等の携帯端末に関する。
【背景技術】
【０００２】
例えば、携帯電話機において、受信した電子メールを指定したフォルダに自動的に格納する自動振り分け機能を利用した場合、受信した複数の電子メールがそれぞれ別のフォルダに振り分けられるようになっている（例えば、特許文献１、２参照）。
【特許文献１】特開平１１−１７５４３０号公報
【特許文献２】特開平０６−２５０９５０号公報
【発明の開示】
【発明が解決しようとする課題】
【０００３】
しかしながら、特許文献１、２記載の発明では、ユーザが電子メールの内容を確認する場合、カーソルをそれぞれのフォルダに移動する等の操作を行わなければならず、煩わしいという問題があった。
そこで、本発明の目的は、振り分け先のフォルダが複数あっても新規に受信した電子メールのみを１つの画面に一覧表示することができる携帯端末を提供することにある。
【課題を解決するための手段】
【０００４】
上記課題を解決するために、請求項１記載の発明は、受信した電子メールを格納する複数のフォルダと、画像および文字を表示する表示手段と、前記各フォルダに格納された電子メールを前記表示手段に表示させる制御手段とを備えた携帯端末において、前記制御手段は、電子メールを前記各フォルダに格納した後、未読の電子メールおよび既読の電子メールのいずれか一方若しくは両方を前記表示手段に一覧表示させることを特徴とする。
請求項１記載の発明によれば、制御手段が電子メールを各フォルダに格納した後、未読の電子メールおよび既読の電子メールのいずれか一方若しくは両方を表示手段に一覧表示させるので、一旦フォルダに格納した未読の電子メールや既読の電子メールを見たい場合にユーザが各フォルダを全て検索する必要がなくなり、新規に受信した電子メールであってもすぐに読むことができ、煩わしさがなくなる。
【０００５】
請求項２記載の発明は、請求項１記載の発明において、前記制御手段は、電子メールを受信すると、自動振り分け対象である場合には振り分け先のフォルダに電子メールを格納し、自動振り分け対象でない場合にはデフォルトの受信メールフォルダに電子メールを格納することを特徴とする。
【０００６】
請求項３記載の発明は、請求項１または２記載の発明において、前記制御手段は、一旦画像表示手段に内容を表示した電子メールについての情報を未読から既読に変更することを特徴とする。
【０００７】
請求項４記載の発明は、請求項１から３のいずれか１項記載の発明において、前記制御手段は、振り分け先のフォルダ名を前記表示手段に表示させることを特徴とする。
【０００８】
請求項５記載の発明は、請求項１から４のいずれか１項記載の発明において、前記制御手段は、振り分け先のフォルダをキーにしてソートを行い、ソート後の結果を一覧表示させることを特徴とする。
【０００９】
請求項６記載の発明は、請求項１から５のいずれか１項記載の発明において、前記制御手段は、新着メールが有る場合に、前記表示手段に新着メールがあることを示すアイコンを表示することを特徴とする。
【発明の効果】
【００１０】
制御手段が電子メールを各フォルダに格納した後、未読の電子メールおよび既読の電子メールのいずれか一方若しくは両方を表示手段に一覧表示させるので、振り分け先のフォルダが複数あっても新規に受信した電子メールのみを１つの画面に一覧表示することができる携帯端末の提供を実現することができる。
【発明を実施するための最良の形態】
【００１１】
本発明は、電子メールを送受信でき、かつ受信した電子メールを指定したフォルダに自動的に格納する自動振り分け機能を有する携帯端末に関するものであり、通常の受信メール一覧とは別に、振り分け先のフォルダに関係なく新規に受信した複数の電子メールを新着メール一覧として表示させることができることを特徴とした携帯端末である。
本発明の携帯端末の一実施の形態について図面を参照して説明する。尚、本実施の形態では携帯電話機の場合で説明する。
【００１２】
図１は本発明の携帯端末としての携帯電話機の一実施の形態を示すブロック図である。
図１において、キー入力部１はユーザのキー操作により電子メールの表示等を行うものであり、ダイヤルボタン、「消去」、「登録」、「着歴」等を選択するためのセレクトボタン、電源／終了ボタン、リダイヤル／クリヤボタン、開始ボタン等からなっている（いずれも図示せず）。
表示手段としての表示部２は電子メール等を画面表示するものであり、例えば液晶表示装置（プラズマディスプレイでもよい）が用いられる。
無線部３はアンテナ部４により送受信される無線データの符号化及び復号化を行うものである。
アンテナ部４は、ダイポールアンテナ、モノポールアンテナ、パッチアンテナ、スロットアンテナ等いずれのアンテナを用いてもよい。
制御手段としての制御部５は、受信した電子メールを自動的にフォルダに格納する、受信した電子メールの内容を表示部２へ表示させる、受信した電子メールを新着メール一覧へ追加する、等の統括制御を行うものであり、例えばマイクロプロセッサが用いられる。
記憶部６は送受信した電子メール等を記憶するものであり、例えばRAMが用いられる。
これらキー入力部１、表示部２、無線部３、アンテナ部４、制御部５、および記憶部６で携帯電話機が構成されている。
【００１３】
（実施の形態の動作）
図２〜図４を参照して、図１に示した携帯電話機の動作について説明する。
本実施の形態では、デフォルトの受信メールフォルダや自動振り分けの対象となるフォルダから過去に受信した電子メールの一覧を表示する通常の受信メール一覧の機能と、新規に受信した電子メールのみを表示する新着メール一覧の機能との両方の機能を持つものとする。尚、自動振り分けの基準としては、例えば、メールアドレス、電話帳に登録されているグループ、メールの題名等ユーザが予めフォルダに設定する振り分けの条件が挙げられる。
【００１４】
図２は図１に示した携帯電話機における電子メールを受信した際の手順を示すフローチャートである。
無線部３（図１参照）が電子メールを受信すると（ステップＳ１）、制御部５（図１参照）は受信した電子メールがフォルダへの自動振り分けの対象となるか否かの判断を行う（ステップＳ２）。
制御部５は、受信した電子メールが自動振り分けの対象となる場合には、指定のフォルダへその受信した電子メールを記憶部６（図１参照）に格納し（ステップＳ３）、受信した電子メールが自動振り分けの対象とならない場合には記憶部６内のデフォルトの受信メールフォルダへ受信した電子メールを格納する（ステップＳ４）。
次に制御部５は、新着メール一覧へ受信した電子メールの情報を追加し（ステップＳ５）、待受画面に新着メールがあることを示すアイコンを表示部２へ表示させる（ステップＳ６）。
【００１５】
図３は図１に示した携帯電話機における新着メール一覧を表示する手順を示すフローチャートである。
ユーザは、キー入力部１（図１参照）を操作すると、制御部５は待受画面上の新着メールがあることを示すアイコンを選択する（ステップＳ７）。
ユーザによるアイコンの選択によって、制御部５（図１参照）は表示部２（図１参照）へ新着メール一覧を表示させる（ステップＳ８）。
次に、制御部５は、新着メール一覧上にリストアップされた電子メールの詳細な内容を表示させるか否かの判断を行う（ステップＳ９）。
ユーザが電子メールの詳細な説明を表示させたい場合（ステップＳ９／ＹＥＳ）には、ユーザがキー入力部１を操作して読みたい電子メールを選択することにより、制御部５はメール内容を表示部２へ表示させる（ステップＳ１０）。
制御部５はステップＳ１０で内容を表示させた電子メールの情報を未読から既読に変更する（ステップＳ１１）。
【００１６】
ここで、図４（ａ）、（ｂ）、（ｃ）は図１に示した携帯電話機の表示部２に表示される新着メール一覧画面の一例である。
図４（ａ）に示すように、受信時刻および要件名が順次並列に表示されている（図では新しいメールが上になるように表示されているが、本発明はこれに限定されるものではなく、新しいメールが下になるように表示されてもよい）。
例えば、ユーザがカーソル部（波線部）Ｃをキー操作により図４（ｂ）に示すように「１０：０５  資料の件」に移動させ、選択すると、携帯電話機の表示部２の表示画面は図４（ｃ）に示すように「送信元アドレス、送信者名、時間、題名、および本文」に切り替わる。
【００１７】
次に、図３において、携帯電話機の制御部５は、新着メール一覧の表示を終了するか否かの判断を行う（ステップＳ１２）。
ユーザが新着メール一覧の表示を終了させたい場合（ステップＳ１２／ＹＥＳ）には、制御部５は新着メール一覧の電子メールの情報をクリアし（ステップＳ１３）、表示部２における待受画面の新着メールがあることを示すアイコンの表示を消去することにより終了する（ステップＳ１４）。
ユーザが新着メール一覧の表示を終了させない場合（ステップＳ１２／ＮＯ）には、ステップＳ９〜ステップＳ１１の動作を繰り返し、ステップＳ１２にて再度新着メール一覧の表示を終了するか否かの判断を行う。
【００１８】
（効果の説明）
本実施の形態によれば、振り分け先のフォルダが複数ある場合においても、新規に受信した電子メールのみを一つの一覧に表示し、内容の確認を行うことができる。また、新着メール一覧から内容を確認した電子メールの情報を未読から既読に変更することにより、ユーザが通常の受信メール一覧で再度内容確認を行い、未読を既読にする煩わしい手間を省くことができるという効果を有する。
【００１９】
（他の実施の形態）
図５〜図６を参照して、他の実施の形態の動作について説明する。
図５は図１に示した携帯電話機の表示部の新着メール一覧に振り分け先のフォルダ名を表示させた場合の一例である。
【００２０】
図５に示すように、フォルダ名（［仕事］、［友人］、［受信ＢＯＸ］等）が各要件名の下側に表示されている。尚、［受信ＢＯＸ］は［仕事］、［友人］のいずれにも該当しない電子メールを格納するためのフォルダである。
本実施の形態により、受信した各電子メールがどのフォルダに振り分けられているかを確認することができる。
【００２１】
また、振り分け先のフォルダをキーとしてソートを行う機能を付加することも可能である。
図６は図１に示した携帯電話機においてソート機能を実行した後の新着メール一覧画面の一例である。
図６に示すようにフォルダ［仕事］関係の電子メールと、フォルダ［受信ＢＯＸ］関係の電子メールと、フォルダ［友人］関係の電子メールとがそれぞれ隣接するように配置されている。
尚、本実施の形態では携帯電話機の場合で説明したが、本発明はこれに限定されるものではなく、PDAやビデオ電話機等に適用してもよい。また、本実施の形態では新着の電子メールの表示については言及していなかったが、本発明は新着の電子メールが有る場合に、表示部２に新着メールが有ることを示すアイコンを表示するようにしてもよいことは言うまでもない。
【図面の簡単な説明】
【００２２】
【図１】本発明の携帯端末としての携帯電話機の一実施の形態を示すブロック図である。
【図２】図１に示した携帯電話機における電子メールを受信した際の手順を示すフローチャートである。
【図３】図１に示した携帯電話機における新着メール一覧を表示する手順を示すフローチャートである。
【図４】（ａ）、（ｂ）、（ｃ）は図１に示した携帯電話機の表示部２に表示される新着メール一覧画面の一例である。
【図５】図１に示した携帯電話機の表示部の新着メール一覧に振り分け先のフォルダ名を表示させた場合の一例である。
【図６】図１に示した携帯電話機においてソート機能を実行した後の新着メール一覧画面の一例である。
【符号の説明】
【００２３】
１    キー入力部
２    表示部
３    無線部
４    アンテナ部
５    制御部
６    記憶部
【図１】
2005149372.tif 000003
【図２】
2005149372.tif 000004
【図３】
2005149372.tif 000005
【図４】
2005149372.tif 000006
【図５】
2005149372.tif 000007
【図６】
2005149372.tif 000008